(57)【特許請求の範囲】
【請求項１】
複数のパイプを縦方向に継ぎ足し可能に積み上げて、シャワー装置を構成し、前記複数のパイプ内には、少なくとも通水路を形成し、前記複数のパイプの１つは、湯水混合部を内部に配置し、前記湯水混合部を内部に配置したパイプに、前記少なくとも通水路を形成したパイプを縦方向に積み上げ、前記積み上げられた複数のパイプにおける少なくとも最上端パイプには、吐水部を設けたことを特徴とするシャワー装置。
【請求項２】
前記複数のパイプの少なくとも１つに壁に固定する固定部を設けたことを特徴とする請求項１記載のシャワー装置。
【請求項３】
前記湯水混合部を内部に配置したパイプと、前記吐水部を設けた最上端パイプとの間に、前記通水路の途中を分岐したパイプを設け、前記分岐した通水路にシャワーホースの一端を接続し、このシャワーホースの他端を吐水部に接続し前記複数のパイプの少なくとも１つに前記シャワーホースに接続される吐水部を引っ掛けるフックを備えたことを特徴とする請求項１または２記載のシャワー装置。
【発明の詳細な説明】
【０００１】
【発明の属する技術分野】
本発明は、シャワー装置に関する。
【０００２】
【従来の技術】
従来、浴室やシャワールーム等で設置されるシャワー装置には、横長に配置された湯水混合栓本体から可撓性のシャワーホースを分岐し、このシャワーホース先端にシャワーノズルを設けたものがある。そして、湯水混合栓に設けたカランもしくはシャワーノズルのいずれかを選択して吐水する構成となっている。この従来のシャワー装置では、シャワーホースが床に垂れ下がり、洗体したときの湯水やあか等が床を流れるときにシャワーホースに付着するため、シャワーホースが汚れてしまうおそれがあった。また、シャワーホースが使用時に床に垂れ下がった状態となるので邪魔となるおそれもあった。
【０００３】
そのため、このシャワーホースが床に垂れ下がらず、またシャワー装置の使用勝手を向上させた技術として、実開平２−１１２７５８号がある。このシャワー装置は、給水管と給湯管が同高さに壁から取り出され、それに湯水混合栓が接続されている。そして、この湯水混合栓の背面側から湯水の混合水を通水する配管を立ち上げて湯水混合栓よりも高い位置でヘッドシャワーノズルとハンドシャワーヘッドに分岐する分岐部を横方向に延設して、この分岐部にそれぞれのシャワーヘッドへの吐水流量調整つまみを設けている。このように、湯水混合栓から立ち上げた配管の途中からハンドシャワーヘッドに連通するシャワーホースを分岐しているため、シャワーホースが床に垂れ下がるおそれが低減されるのである。また、この従来技術のシャワー装置においては、ハンドシャワーだけでなく、ヘッドシャワーもできるため、いろいろなシャワー形態を楽しむことができる。
【０００４】
さらに、従来のシャワー装置において、いろいろなシャワー形態を楽しめるシャワー装置としては、実開昭６３−１９７４８８号に開示がある。このシャワー装置は、給水管と給湯管が同高さに壁から取り出され、それらに湯水混合栓が横長に配置するように接続されている。そして、この湯水混合栓の裏面側にハンドシャワーノズルに連通したシャワーホースを接続し、さらに湯水混合栓から立ち上げた配管に対して横長に配置するようにボディシャワー部を設けている。そして、このボディーシャワー部からもシャワーを吐水することができるようになっている。
【０００５】
【発明が解決しようとする課題】
しかしながら、これらのシャワーホースの床への垂れ下がりに対して配慮したシャワー装置やいろいろなシャワー形態を持つシャワー装置は、湯水混合栓からの立ち上げ配管（垂直方向に縦長に配置）に対して、湯水混合栓、分岐部やボディーシャワー装置など（水平方向に横長に配置）がクロスして配置されており、シャワー装置として一体感がなく、また、外観形状が複雑となり清掃性が悪いといった問題点がある。
【０００６】
また、外観性を向上させたシャワー装置として、実開平６−６６４８４号のように、シャワーパネル内に給湯管や機能部等を組み込んだ隠蔽タイプのものもある。しかしながら、このシャワー装置の場合、設置スペースを確保しなければならないこと、また、設置する室内空間が狭くなってしまうこと、さらには、壁に固定するために壁の強度を確保しなければならず大掛かりな施工が伴なってしまうこと、等の問題がある。
【０００７】
そこで、本発明者らは、一体感のある外観性を確保するとともにいろいろな吐水形態を楽しむことができ、また施工性のよい吐水装置を開発するに至った。しかしながら、この吐水装置を開発するにあたり、すべての部品を新しく設計し、製造した場合、かなりの設計費用ならびに設計時間を費やすことになり、使用者に安価にかつ早期に新しい吐水装置を提供することができない。そこで、本発明では上記の問題点を解決するため、既存の湯水混合栓における湯水混合部を用いて安価に製造していままでにない新しいシャワー生活を創造することができるシャワー装置を提供することを目的とする。そして、特に、外観・清掃性ならびに使用勝手のよい全く新しいシャワー装置を提供することを目的とする。
【０００８】
【課題を解決するための手段および作用・効果】
本発明の請求項１では、複数のパイプを縦方向に継ぎ足し可能に積み上げて、シャワー装置を構成し、前記複数のパイプ内には、少なくとも通水路を形成し、前記複数のパイプの１つは、湯水混合部を内部に配置し、前記湯水混合部を内部に配置したパイプに、前記少なくとも通水路を形成したパイプを縦方向に積み上げ、前記積み上げられた複数のパイプにおける少なくとも最上端パイプには、吐水部を設けたことを特徴とするシャワー装置とした。
【０００９】
これにより、湯水混合部に水滴が付いたとしても縦長配置としているため、下方に水滴は流れ落ちる。そのため、湯水混合部に水滴が残り乾燥して水滴中の成分が付着して汚れるおそれが低減でき、清掃性が向上する。また、縦長に配置することで、横幅をとらずにすみ、設置スペースに制約を受けなくて済む。たとえば、浴室やシャワールームなどのコーナーに設けたい場合においては、図１１に示すように、従来の湯水混合部７は横長の配置であり、給水管と給湯管を同高さの横方向に並列させて配置しているため、配置する横方向の幅Ｌ１を湯水混合部の長手方向と同じ寸法以上に広く確保する必要があった。そのため、図に示すように、前方に取付け壁面２９を膨出させる必要があった。そのため、室内を狭めることになり、特に狭いシャワールームにおいては、圧迫した感じを使用者に与えて、快適性を損なうおそれがあった。しかしながら、本発明のシャワー装置においては、室内を狭める必要がなく快適性を損なうことがない。また、浴室の洗い場にこのシャワー装置を配置した場合、使用者は風呂いすに座って使用することが考えられる。この場合、従来のように湯水混合栓の上方に鏡や棚を設けた場合、湯水混合栓が邪魔になって、鏡により接近することができない。特に、近眼の使用者がめがねをかけずに使用する場合は、鏡により接近して髭剃り等を行いたい。本発明の縦長に湯水混合部を配置することで、湯水混合部が障害物とならずにすみ鏡により接近することができるのである。つまり、縦長に湯水混合部を配置することで、使用勝手を向上させることができ、いままでにない快適なシャワー生活を提供することができるのである。
【００１０】
請求項２においては、前記複数のパイプの少なくとも１つに壁に固定する固定部を設けたことを特徴とする請求項１に記載のシャワー装置とした。
【００１１】
【００１２】
請求項３においては、前記湯水混合部を内部に配置したパイプと、前記吐水部を設けた最上端パイプとの間に、前記通水路の途中を分岐したパイプを設け、前記分岐した通水路にシャワーホースの一端を接続し、このシャワーホースの他端を吐水部に接続し前記複数のパイプの少なくとも１つに前記シャワーホースに接続される吐水部を引っ掛けるフックを備えたことを特徴とする請求項１または２に記載のシャワー装置とした。
【００１３】
【００１４】
【００１５】
【００１６】
【００１７】
【００１８】
【００１９】
【００２０】
【００２１】
【００２２】
【発明の実施の形態】
以下に図面を参照して本発明をより具体的に説明する。図１に本発明のシャワー装置１の外観図を示す。このシャワー装置１は、上下方向に伸び延設するパイプ６に対して、湯水混合部７と複数の吐水部を備えている。パイプ６は、複数本のパイプを継ぎ足して1本のパイプとする。そして、このパイプ６は、全長に亘り、ほぼ同一径の外観形状としており、かつ、内径は湯水混合部７の外径と略同一径としている。図１のシャワー装置１においては、吐水部は、カラン２とハンドシャワーノズル３とヘッドシャワーノズル４から構成されている。そして、湯水混合部７を挟んで、下方にカラン２を設置し、上方にハンドシャワーノズル３とヘッドシャワーノズル４とを設置している。湯水混合部７の下方に温度調整ハンドル８を設け、さらにその下にカラン２が設置している。そして、湯水混合部７の上方には、シャワー用流量調整ハンドル１０が設けられている。なお、湯水混合部７の横には、フック２３を膨出して設けている。図２は、図１のシャワー装置１を浴室のカウンター２２上に設置した場合の使用状態図を示している。なお、図示しないが、浴室の洗い場やシャワールームの床から立ち上げるようにしてもよい。
【００２３】
図３のシャワー装置１においては、吐水部は、ボディシャワーノズル５とハンドシャワーノズル３とヘッドシャワーノズル４から構成されている。そして、湯水混合部７の上方に吐水部は位置するように構成されている。図３のシャワー装置１においては、シャワールームなどの立って使用する場合に好適と言える。
【００２４】
次に、図４は、給水管と給湯管の接続部１７、１８から流れてきた湯水が湯水混合部７で適温に混合されて、この湯水混合部７から各吐水部までの通水経路を示している。図４では、壁から給水管と給湯管を室内に取込んだ場合を示しているが、床から給水管と給湯管を立ち上げた場合も同様である。まず、給水管と給湯管の接続部１７、１８から供給された湯水は、湯水混合部７で混合される。また、この湯水混合部７の下方に隣接して配置した温度調整ハンドル８を周方向に回転させて湯温を調整する。この湯水混合部７で適温になった湯水は、各吐水部２、３、４、５の流量調整弁まで各通水路Ａ、Ｂ、Ｃを経由して送られる。つまり、湯水混合部７の上方のパイプ６内において、カラン２用の通水路Ａと、ボディシャワーノズル５用の通水路Ｃと、ハンドシャワーノズル３及びヘッドシャワーノズル４用の通水路Ｂとに通水路を３分岐されている。また、ボディシャワーノズル５を設けたパイプ６部において、ボディシャワーノズル５用の通水路Ｃと、ハンドシャワーノズル３及びヘッドシャワーノズル４用の通水路Ｂとの２経路が設けられている。そして、各流量調整弁を開くことで、それに連通した吐水部から吐水が開始される。なお、ハンドシャワーノズル３とヘッドシャワーノズル４との吐水においては、切替えハンドル１１により、どちらか一方を選択するようにしている。図５乃至図７に示したように、湯水混合部７ならびに各吐水部、さらに各吐水部２、３、４、５、への通水路Ａ、Ｂ、Ｃは、ユニットとして形成している。このように各ユニットにて構成されているため、必要な吐水部だけを選択して湯水混合部７に接続することができる。そのため、図１のように、吐水部としてカラン２とハンドシャワーノズル３とヘッドシャワーノズル４を選択したり、図３のように、吐水部としてボディシャワーノズル５とハンドシャワーノズル３とヘッドシャワーノズル４を選択したり、使用者の好みによって吐水部を選択して簡単に組み立てることができるのである。
【００２５】
次に、図５乃至図９を用いて、湯水混合部７と各吐水部の具体的な構成を説明する。図５は、図３のＡ部分に相当するシャワー装置の側断面図を示している。湯水混合部７は、サーモスタット混合栓の湯水混合部７と同様に構成されている。給水管と給湯管の接続部１７、１８が上下方向（縦方向）にパイプ６に配置されている。さらに、この湯水混合部７を長手方向が縦向きになるようにパイプ６内に配置している。また、この湯水混合部７の外径とパイプ６との内径を略同一としている。そして、このパイプ６の全長の径をほぼ変えることなく、１本のパイプ６を形成している。なお、１本のパイプ６とは、途中で継ぎ足しをしたものである。このシャワー装置１においては、各ユニット毎に構成し、それを各パイプ６に組み付け、それらのパイプ６をさらに縦方向に積み上げて１つのシャワー装置１を構成している。
【００２６】
さて、給水管および給湯管の接続部１７、１８から湯水は、黒矢印で示すように、湯水混合部７に送られて適温になり、さらに湯水混合部７の上方に位置する吐水部へと送られる。なお、湯温調整は、湯水混合部の下方に設けた温度調整ハンドル８を周方向に回転させて行なう。図８は、湯と水が湯水混合部７に流れて混合され、各吐水部へ通水する通水経路を示している。湯水混合部７の上方に位置する吐水部（ハンドシャワーノズル３、ヘッドシャワーノズル４、ボディシャワーノズル５）へはパイプ６の内部の通水路Ｂ、Ｃを経由して送られ、湯水混合部７の下側の吐水部（カラン２）へは、パイプ６裏に配置した通水路（通水管）Ａを経由して送られる。なお、図３においては、カラン２を設けていないので、このカラン２への通水路Ａを塞いでおく。図９は、サーモスタットによる自動温度調整機構の概略を示している。図示するように、Ｎｉ−Ｔｉ合金などの形状記憶合金バネ２１とバイアスバネ２２との釣り合いにより、バルブ１９を制御して、湯水の混合比を調整している。そして、この形状記憶合金バネ２１とバイアスバネ２２との伸縮方向を縦方向としている。
【００２７】
次に、吐水部について説明する。吐水部は、カラン２、ハンドシャワーノズル３、ヘッドシャワーノズル４、ボディシャワーノズル５などから構成することができる。まずカラン２について説明する。図１に示すように、カラン２は、湯水混合部７の下方でかつシャワー装置１本体のパイプ６から前方に膨出するように設けている。このカラン２の先端には、流量調整ハンドル９を有している。この流量調整ハンドル９に連動してシリンダ弁などの流量調整弁（図示せず）が開閉し、吐水・止水をおこなうことができる。このようにカラン２の先端に流量調整ハンドル９を設けているため、風呂椅子に座って流量調整ハンドル９に楽な姿勢でアプローチしカラン２からの吐水を行なうことができる。なお、このカラン２からの吐水の温度調整は、上方に設置した湯水混合部７にて行なわれる。そして、湯水混合部７からの通水は、図４に示すように、パイプ６の背面の外側に配置した固定部１６内に設けた通水路（通水管）Ａにより行なう。なお、このカラン２は、水平に膨出させても、斜めに膨出させてもよく、また、膨出させる長さも自由に変更してもよい。
【００２８】
次に、図６、７を用いて、湯水混合部７よりも上方に位置する吐水部（ボディシャワーノズル５とハンドシャワーノズル３とヘッドシャワーノズル４）について説明する。まず、ボディシャワーノズル５について説明する。ボディシャワーノズル５は、立った状態で、上半身の縦方向の広範囲に吐水を行なうためのものである。そのため、図３に示すようにこのボディシャワーノズル５は、パイプ６の中間部である切替えハンドル１１とシャワーノズル用流量調整ハンドル１０との間の前方に上下に複数の吐水口５ａを形成することで構成されている。図６には、湯水混合部７からの湯水がボディシャワーノズル５まで通水する通水路を示す。なお、白矢印がその流れ方向を示している。図６（Ｂ）の横断面図に示すように、シャワーノズル用流量ハンドル１０（流量調整弁１０ａ）を回避してその外周に形成された通水路１０ｂを通って、ボディシャワー用流量調整ハンドル１４（流量調整弁１４ａ）に通水される。なお、各流量調整弁１０ａ、１４ａは、シリンダ弁から構成されている。そして、ボディシャワー用流量調整ハンドル１４（流量調整弁１４ａ）を経由して、ボディシャワーノズル５へと通水される。
【００２９】
次に、ハンドシャワーノズル３とヘッドシャワーノズル４からの吐水について説明する。図１乃至３に示すように、ハンドシャワーノズル３とヘッドシャワーノズル４は、切替えハンドル１１にて切り替える可能としている。そして、シャワーノズル用流量調整ハンドル１０にて吐水流量を調整する。このシャワーノズル用流量調整ハンドル１０は、湯水混合部７の上方に隣接して配置しているので、風呂椅子に座った状態でハンドシャワーノズル３からの吐水を行ないたい場合に、楽な姿勢でシャワーノズル用流量調整ハンドル１０を操作することができ、また、立った状態でも操作しやすい位置にある。なお、ハンドシャワーノズル３は、パイプ６から膨出して設けたフック２３に引っ掛けておくことが可能である。
【００３０】
シャワー装置１本体のパイプ６の中間部における側方に分岐金具１２を設けて、この分岐金具１２にシャワーホース１３の一端を接続し、そのシャワーホース１３の他端をハンドシャワーノズル３に接続している。このハンドシャワーノズル３には、複数の吐水形態が選択できるように吐水切替操作部を有している。また、ハンドシャワーノズル３には、止水・吐水を行なう操作ボタン３ａが握手部に設けられている。
【００３１】
一方、ヘッドシャワーノズル４は、シャワー装置１本体のパイプ６の上端に設けられている。なお、このヘッドシャワーノズル４は、パイプ６に対して、回転自在に配置してもよい。また、ヘッドシャワーノズル４は、内部に大きく３つの吐水群１５を配置しており、この吐水群１５は、すべて同じ吐水形態としても、また、すべて異なる吐水形態としてもよい。さらに、この吐水形態を１つずつ選択できるようにしてもよく、さらには、この吐水群の吐水方向を変えられるようにしてもよい。
【００３２】
なお、シャワー装置１本体のパイプ６の中間部（分岐金具１２を設けた場所）の前方に切替えハンドル１１を設けている。そして、この切替えハンドル１１により、ハンドシャワーノズル３とヘッドシャワーノズル４からの吐水の切替えを行なう。そして、この切替えハンドル１１は、引っ張ることで、弁体１１ａが後から前に（図では左から右に）動き、通水経路を切り替えて、ハンドシャワーノズル３からヘッドシャワーノズル４へと吐水を切り替える構成となっている。そして、ダイバーター機構を用いることで、一旦止水したときには、必ずハンドシャワーノズル３から吐水するようにしている。これにより、パイプ６内に溜まった冷たい停滞水をヘッドシャワーノズル４から不用意に吐水するおそれがない。この切替えハンドル１１のダイバーター機構について、図７に基づき説明する。この切替えハンドル１１の引っ張ることでヘッドシャワーノズル４への通水状態とするが、このとき水圧がかかっているため、弁体１１ａはハンドシャワーノズル３の通水路を塞いだ状態（図では弁体が右側に位置した状態）で維持される。しかしながら、止水すると、水圧が下がり、ばね１１ｂの弾性力により、弁体１１ａが前から後ろへ（図では右から左へ）と動き通水路を切り替えられるのである。
【００３３】
次に、図６乃至７に基づき、ハンドシャワーノズル３とヘッドシャワーノズル４への通水路について説明する。図６中の黒矢印がハンドシャワーノズル３とヘッドシャワーノズル４への通水路の流れを示している。まず、図５の湯水混合部７で適温となった湯水が図６の下方から流れ、シャワーノズル用流量調整ハンドル１０に流れ込む。このシャワーノズル用流量調整ハンドル１０を操作させて、流量調整弁１０ａを開くことにより、この流量調整弁１０ａよりも上方へ位置している切替えハンドル１１まで通水する。なお、図６（Ｂ）の構造と同様に、ボディシャワー用流量調整ハンドル１４（流量調整弁１４ａ）を避けてその外周に通水路を形成し、さらにボディシャワーノズル５の後側に通水路１１ｄを形成して、切替えハンドル１１まで通水路を形成している。図７は、ハンドシャワーノズル３へ通水されている状態である。黒矢印がハンドシャワーノズル３への通水路の流れである。また、白矢印は、ヘッドシャワーノズル４への通水路の流れである。なお、図１乃至図３では、切替えハンドル１１の側方に分岐金具１２を設けているが、図７に示すように、切替えハンドル１１よりも上方に分岐金具１２を設けてもよく、また分岐金具１２をパイプ６の背面の外側に配置してもよい。
【００３４】
次に、このシャワー装置１の固定構造について説明する。シャワー装置１本体のパイプ６は、上方と湯水混合部７で固定部１６により固定している。上方の固定部１６は、分岐金具１２よりも上方として、壁に固定している。湯水混合部７での固定部１６は、壁給水の場合は、接続部１７、１８を給水管および給湯管に接続することで行なう。また、床給水の場合は、上方の固定と同様の固定１６で壁に固定する。
【００３５】
次に、本発明における別の一実施の形態であるシャワー装置１について図１０に基づき説明する。図１０は、図３のシャワー装置１と同じ吐水形態を持つシャワー装置である。壁から取り出した給水管・給湯管に止水栓２６を備えた脚部２５を取り付け、この脚部２５に湯水混合部７の給水管および給湯管の接続部１７、１８を接続する。なお、この脚部２５には脚部カバー２４を覆う。この脚部カバー２４は、外観性を向上するとともに給湯管の断熱カバーの役目を果たす。この脚部２５に取り付けられた湯水混合部７は、下端に温度調整ハンドル８を備え、湯水混合部７は、図５および図９と同様のサーモスタットによる自動温度調整機構が備えられている。そして、この湯水混合部７の上端には、外径が湯水混合部７を収納した外装部と同じパイプ６が延設されており、このパイプ内６にボディシャワーノズル５と、ハンドシャワーノズル３またはヘッドシャワーノズル４とを選択しかつその吐水流量を調整する流量調整ハンドル１０Ａが設けられている。この流量調整ハンドル１０Ａは、シリンダバルブ３０にて構成されており、このシリンダバルブ３０の開閉により、ノズルの切替と流量調整を行うようにしている。そしてこの流量調整ハンドル１０Ａの上方にはボディシャワーノズル５が設けられている。このボディシャワーノズル５はここのノズルの吐水向きを微調整できる機構を備えている。さらに、ボディシャワーノズル５の上方には、ハンドシャワーノズル３とヘッドシャワーノズル４とのどちらか１方を選択するシャワー切替ハンドル１１Ａを備えている。このシャワー切替ハンドル１１Ａにも、シリンダバルブ３０を採用している。
【００３６】
【００３７】
【００３８】
【００３９】
【００４０】
【００４１】
【００４２】
【００４３】
【００４４】
【００４５】
なお、上述した湯水混合部は、サーモスタット機構を採用した例を挙げて説明したが、従来のシングルレバーカートリッジを逆さにして上述と同様にパイプ内に配置して、湯水混合部の下方に流量調整兼温度調整ハンドルを配置し、湯水混合部の上方に吐水部を配置してシャワー装置を構成してもよい。
【００４６】
【発明の効果】
以上により、外観・清掃性ならびに使用勝手のよく、いままでにない全く新しいシャワー装置を提供することができる。特に、一体感のある外観性を確保するとともにいろいろな吐水形態を楽しむことができ、さらに施工しやすいシャワー装置を提供することができる。
【図面の簡単な説明】
【図１】本件発明の一実施の形態であるシャワー装置の外観図を示す。
【図２】図１のシャワー装置をカウンター上に設置した使用状態図を示す。
【図３】本件発明の他の実施の形態であるシャワー装置の外観図を示す。
【図４】図１の配管経路図を示す。
【図５】図３のＡ部分に相当するシャワー装置の側断面図を示す。
【図６】図３のＢ部分に相当するシャワー装置の側断面図を示す。
【図７】図３のＣ部分に相当するシャワー装置の側断面図を示す。
【図８】図５の湯水の流れを示す。
【図９】図５の湯水の温度調整機構を示す。
【図１０】本件発明における別の一実施の形態であるシャワー装置の側断面図を示す。
【図１１】コーナー部に従来の水栓を配置した状態図を示す。
【符号の説明】
１ シャワー装置
２ カラン
３ ハンドシャワーノズル
４ ヘッドシャワーノズル
５ ボディシャワーノズル
６ パイプ
６Ａ スライドバー
７ 湯水混合部
８ 温度調整ハンドル
９ カラン用流量調整ハンドル
１０ シャワーノズル用流量調整ハンドル
１１ シャワー切替えハンドル
１２ 分岐金具
１３ シャワーホース
１４ ボディシャワー用流量調整ハンドル
１５ 吐水口
１６ 固定部
１７ 給水管の接続部
１８ 給湯管の接続部
１９ バルブ
２０ バイアスバネ
２１ 形状記憶合金バネ
２２ カウンター
２３ フック
２４ 脚部カバー
２５ 脚部
２６ 止水栓
２７ 切替操作バー
２８ 鏡
２９ コーナー壁
【図１】
0003747893.tif 000002
【図２】
0003747893.tif 000003
【図３】
0003747893.tif 000004
【図４】
0003747893.tif 000005
【図５】
0003747893.tif 000006
【図６】
0003747893.tif 000007
【図７】
0003747893.tif 000008
【図８】
0003747893.tif 000009
【図９】
0003747893.tif 000010
【図１０】
0003747893.tif 000011
【図１１】
0003747893.tif 000012